(57)【特許請求の範囲】
【請求項１】
第１の筐体と第２の筐体とをこの第２の筐体の面に垂直の軸の回りに相対的に回転させる回転機構を備えた携帯電子機器において、前記回転機構は、前記第１の筐体に設けられた板状の第１の筐体側部材と、前記第２の筐体に設けられた板状の第２の筐体側部材と、前記第１の筐体側部材又は前記第２の筐体側部材の一方の部材に形成され少なくとも一方が湾曲した第１及び第２のガイド溝と、前記第１の筐体側部材又は前記第２の筐体側部材の他方の部材に固定され夫々前記第１及び第２のガイド溝に嵌合して前記第１及び第２のガイド溝に沿って移動する第１及び第２のピンと、前記第１のピンに対し前記第１のガイド溝の一方の端部に向かう方向に付勢する弾性部材と、前記一方の部材に形成され前記弾性部材が配置された弾性部材用溝と、を有し、前記第１のピンは、円板状の頭部と前記他方の部材に固定される軸部とを有し、前記回転機構は、更に、前記第１のピンの前記軸部を隙間をもって嵌合する矩形の穴を有するカムと、前記カムから延出して前記弾性部材に係合することにより前記弾性部材からの付勢力を前記カムを介して前記第１のピンに伝えるカム延出部とを有することを特徴とする携帯電子機器。
【請求項２】
前記第１のピンは、前記軸部に嵌合して前記軸部と前記カムとの間に配置されたローラを有することを特徴とする請求項１に記載の携帯電子機器。
【請求項３】
前記第２の筐体と前記第１の筐体とが同一方向を向いたとき、及び／又は前記第２の筐体が前記第１の筐体に対して９０°方向に回転したときに、夫々、噛み合うように、前記第１のピンに１又は２個の凹部が設けられ、前記カムに１又は２個の凸部が設けられており、前記第２の筐体の回転により前記凸部が前記凹部内に嵌合したときに、クリック感が付与されることを特徴とする請求項１又は２に記載の携帯電子機器。
【請求項４】
前記第１及び第２のガイド溝は前記第１の筐体側部材に形成され、前記第１及び第２のピンは前記第２の筐体側部材に固定されていることを特徴とする請求項１乃至３のいずれか１項に記載の携帯電子機器。
【請求項５】
前記第１のガイド溝は、前記第１の筐体の長手方向に延びる縦溝であり、前記第１のピンは前記縦溝に嵌合する縦軸であり、前記第２のガイド溝は、前記第１の筐体の幅方向に湾曲して延びる横溝であり、前記第２のピンは前記横溝に嵌合する横軸であり、前記横溝は前記縦溝に向けて凸に湾曲していることを特徴とする請求項４に記載の携帯電子機器。
【請求項６】
前記弾性部材は、コイルバネであることを特徴とする請求項１乃至５のいずれか１項に記載の携帯電子機器。
【請求項７】
前記第２の筐体には表示面が設けられ、この第２の筐体の裏面にスライドレールが固定され、前記第１の筐体には操作ボタンが配置され、前記第２の筐体側部材は、前記スライドレールを前記第１の筐体の長手方向に移動可能に案内するスライド部を有し、前記第１の筐体側部材は、前記第１の筐体に固定されていることを特徴とする請求項１乃至６のいずれか１項に記載の携帯電子機器。
【請求項８】
前記第２の筐体側部材に、前記スライドレールをそのスライドストロークの中央よりも端部側に付勢するスライドバネが設けられていることを特徴とする請求項７に記載の携帯電子機器。
【請求項９】
前記第２の筐体には表示面が設けられ、前記第１の筐体には操作ボタンが配置され、この第１の筐体にその幅方向を開閉回転軸として回転可能に連結された回転支持部材と、を有し、前記第１の筐体側部材は、前記回転支持部材における折り畳み内側の面に固定されており、前記第２の筐体側部材は、前記第２の筐体の裏面に固定されていることを特徴とする請求項１乃至６のいずれか１項に記載の携帯電子機器。
【請求項１０】
前記回転支持部材の内側の面に、前記第１の筐体側部材を前記回転支持部材との間に挟んで固定する固定部材が配置されていることを特徴とする請求項９に記載の携帯電子機器。  
【発明の詳細な説明】
【技術分野】
【０００１】
本発明は、表示部を縦長状態と横長状態とに回転して切り替えることができる携帯電子機器に関する。
【背景技術】
【０００２】
近時、携帯電話は、その本来の機能である通話の他に、インターネットのウエブ閲覧機能及び電子メール送受信機能が付加され、更に、所謂ワンセグのデジタルテレビの視聴機能が付加されたものもある。このウエブ閲覧については、携帯電話の小さい画面での一覧性を確保するために、縦長の操作部を手に持った状態で、画面を横長にして閲覧することが好ましく、また、テレビ視聴に際しては、携帯電話の全画面にテレビ映像を表示してテレビ映像を見やすくするために、１６対９の横縦比率のテレビ画面に合わせて、同様に、画面を横長にすることが好ましい。  
【０００３】
そこで、折り畳み式の携帯電話機において、表示部を操作部（又は握持部）に対して回転させて開閉すると共に、表示部と操作部との回転軸に対して垂直の方向の回りに表示部を操作部に対して相対的に回転させる機構を備えた折り畳み式携帯電話機が開発されている（特許文献１）。  
【０００４】
この特許文献１に記載の従来技術は、液晶表示部が設けられた第１の筐体と、操作部を有する第２の筐体と、第１及び第２の筐体を折り畳み開閉自在に連結するヒンジ部とを有し、支持機構により、液晶表示部は第１の筐体に縦長状態と横長状態とに切換操作可能に支持されている。そして、支持機構のカム機構は、第１の筐体に設けられて左右方向に延びその途中で凸状に湾曲した曲線状の左右方向ガイド溝と、第１の筐体に設けられ上下方向に延びる直線状の上下方向ガイド溝と、液晶表示部の背面に設けられ前記左右方向ガイド溝に係合する第１ガイドピンと、液晶表示部の背面に設けられ前記上下方向ガイド溝に係合する第２ガイドピンとを有する。そして、前記液晶表示部が縦長状態又は横長状態を保持するように付勢するねじりコイルバネが、その一端が第１ガイドピンに固定され、他端が第１の筐体に固定されて設けられている。  
【０００５】
これにより、液晶表示部が設けられた第１の筐体は、回転により縦長状態から横長状態に移るときに、回転と共に、操作部が設けられた第２の筐体から遠ざかる方向に一旦逃げて、第１の筐体の下端隅部が第２の筐体に干渉しないようにしていると共に、横長状態において、液晶表示部が操作部から遠くなりすぎることを防止している。  
【０００６】
【特許文献１】特開２００６−２１１５７６号公報
【発明の開示】
【発明が解決しようとする課題】
【０００７】
しかしながら、上述の従来技術においては、液晶表示部が縦長状態又は横長状態を保持するように作用するねじりコイルバネが、その一端が液晶表示部の背面に固定された第１ガイドピンに固定され、他端が第１の筐体に固定されているので、ねじりコイルバネは、液晶表示部と第１の筐体との間に挟まれて積層配置されており、携帯電話機を薄くするために障害となる。また、バネの可動空間を広く確保する必要があり、携帯電話機の小型化が困難となる。  
【０００８】
更に加え、液晶表示部の回転の軌跡は、液晶表示部が設けられた第１の筐体に設けられた左右方向ガイド溝及び上下方向ガイド溝の形状により決まる。このため、回転動作時における使用者の操作感触は、ガイド溝の形状により決まり、操作感触の調整が困難である。  
【０００９】
本発明はかかる問題点に鑑みてなされたものであって、薄型化及び小型化が可能であり、更に、表示部の回転動作における操作感触を調整することができる携帯電子機器を提供することを目的とする。
【課題を解決するための手段】
【００１０】
本発明に係る携帯電子機器は、第１の筐体と第２の筐体とをこの第２の筐体の面に垂直の軸の回りに相対的に回転させる回転機構を備えた携帯電子機器において、前記回転機構は、前記第１の筐体に設けられた板状の第１の筐体側部材と、前記第２の筐体に設けられた板状の第２の筐体側部材と、前記第１の筐体側部材又は前記第２の筐体側部材の一方の部材に形成され少なくとも一方が湾曲した第１及び第２のガイド溝と、前記第１の筐体側部材又は前記第２の筐体側部材の他方の部材に固定され夫々前記第１及び第２のガイド溝に嵌合して前記第１及び第２のガイド溝に沿って移動する第１及び第２のピンと、前記第１のピンに対し前記第１のガイド溝の一方の端部に向かう方向に付勢する弾性部材と、前記一方の部材に形成され前記弾性部材が配置された弾性部材用溝と、を有し、前記第１のピンは、円板状の頭部と前記他方の部材に固定される軸部とを有し、前記回転機構は、更に、前記第１のピンの前記軸部を隙間をもって嵌合する矩形の孔を有するカムと、前記カムから延出して前記弾性部材に係合することにより前記弾性部材からの付勢力を前記カムを介して前記第１のピンに伝えるカム延出部とを有することを特徴とする。
【００１１】
また、前記第１のピンは、前記軸部に嵌合して前記軸部と前記カムとの間に配置されたローラを有することが好ましい。  
【００１２】
更に、前記第２の筐体と前記第１の筐体とが同一方向を向いたとき、及び／又は前記第２の筐体が前記第１の筐体に対して９０°方向に回転したときに、夫々、噛み合うように、前記第１のピンに１又は２個の凹部が設けられ、前記カムに１又は２個の凸部が設けられており、前記第２の筐体の回転により前記凸部が前記凹部内に嵌合したときに、クリック感が付与されるように構成することが好ましい。  
【００１３】
更にまた、例えば、前記第１及び第２のガイド溝は前記第１の筐体側部材に形成され、前記第１及び第２のピンは前記第２の筐体側部材に固定されている。この場合に、前記第１のガイド溝は、前記第１の筐体の長手方向に延びる縦溝であり、前記第１のピンは前記縦溝に嵌合する縦軸であり、前記第２のガイド溝は、前記第１の筐体の幅方向に湾曲して延びる横溝であり、前記第２のピンは前記横溝に嵌合する横軸であり、前記横溝は前記縦溝に向けて凸に湾曲しているように構成することが好ましい。また、前記弾性部材は、例えば、コイルバネである。  
【００１４】
表示側本体が、操作側本体に対して、スライドする形式の携帯電子機器においては、例えば、前記第２の筐体には表示面が設けられ、この第２の筐体の裏面にスライドレールが固定され、前記第１の筐体には操作ボタンが配置され、前記第２の筐体側部材は、前記スライドレールを前記第１の筐体の長手方向に移動可能に案内するスライド部を有し、前記第１の筐体側部材は、前記第１の筐体に固定されているように構成することができる。この場合に、前記第２の筐体側部材に、前記スライドレールをそのスライドストロークの中央よりも端部側に付勢するスライドバネが設けられていることが好ましい。  
【００１５】
一方、表示側本体を操作側本体に対して折り畳む形式の携帯電子機器においては、例えば、前記第２の筐体には表示面が
設けられ、前記第１の筐体には操作ボタンが配置され、この第１の筐体にその幅方向を開閉回転軸として回転可能に連結された回転支持部材と、を有し、前記第１の筐体側部材は、前記回転支持部材における折り畳み内側の面に固定されており、前記第２の筐体側部材は、前記第２の筐体の裏面に固定されているように構成することができる。この場合に、前記回転支持部材の内側の面に、前記第１の筐体側部材を前記回転支持部材との間に挟んで固定する固定部材が配置されていることができる。
【発明の効果】
【００１６】
本発明によれば、携帯電子機器の厚さが増大することはなく、携帯電子機器の薄型化及び小型化が可能であり、更に、表示部の回転動作における操作感触を調整することができる。
【発明を実施するための最良の形態】
【００１７】
以下、本発明の実施の形態について添付の図面を参照して具体的に説明する。先ず、表示側本体（第２の筐体）が操作側本体（第１の筐体）に対してスライドして操作ボタンの操作を可能にするスライドタイプの携帯電話に本発明を適用した実施形態について説明する。図１（ａ）乃至（ｃ）はこのスライドタイプの携帯電話機の動きを示す斜視図である。図１（ａ）に示すように、閉状態では、表示側本体１００と操作側本体２００とが重なった状態にあり、ダイヤルボタンを押すときには、図１（ｂ）に示すように、表示側本体１００を操作側本体２００に対して上方にスライドさせて、ダイヤルボタンを露出させる。一方、テレビ放送を受信し視聴する際には、図１（ｃ）に示すように、表示側本体１００を操作側本体２００に対して時計方向に９０°回転させる。このとき、表示側本体１００の中心は、図１（ｂ）の場合の位置に対して、図１（ｃ）の場合の位置は操作側本体２００の操作ボタン寄りに移動する。即ち、図面上で上方の部分を上、下方の部分を下とすれば、表示側本体１００の中心位置は、図１（ｂ）の場合よりも図１（ｃ）の場合の方が下になる。なお、図１の図示例では、表示側本体１００を操作側本体２００に対して時計方向に回転させたが、これとは逆に、反時計方向に回転させるようにしてもよく、また両方向に回転できるようにしてもよい。  
【００１８】
図２はこのような動きを可能にするための回転機構を、スライド機構と共に示す分解斜視図である。表示側本体１００は、表示側筐体１０１とスライドレール１１０とから構成される。一方、操作側本体２００は、操作側筐体２０１により構成される。そして、操作側本体２００に対して、表示側本体１００を回転させる回転機構３００は、表示側部材（第２の筐体側部材）３１０と、操作側部材（第１の筐体側部材）３２０とにより構成される。この表示側部材３１０は、操作側部材３２０と共に回転機構３００の主要構成要素であるが、スライドレール１１０のスライドを可能にするためのスライド機構の一部も兼ねている。  
【００１９】
図３（ａ）は表示側筐体１０１の裏面にスライドレール１１０を固定した状態を示す表示側筐体１０１の裏側の斜視図、図３（ｂ）は操作側筐体２０１に操作側部材３２０を固定した状態を示す操作側筐体２０１の表側の斜視図である。また、図４（ｂ）は図４（ａ）のＡ−Ａ線による断面図であり、表示側部材３１０と操作側部材３２０との係わり合いを示す断面図である。  
【００２０】
スライドレール１１０は、下部に矩形の切欠１１２を有する長方形の板状をなし、その両側縁に段差を設けて幅方向に延出する突起１１１を有する。一方、表示側部材３１０には、その両側縁に、折り返し部３１１が設けられており、突起１１１を折り返し部３１１に挟み込むことにより、この折り返し部３１１に案内されて、スライドレール１１０が表示側部材３１０に対してスライドレール１１０の長手方向にスライドすることができる。  
【００２１】
スライドアシスト用バネ１２０は、ねじりコイルバネであり、その一端１２１は、表示側部材３１０に固定ピン３１２により固定され、その他端１２２は、表示側部材３１０の表面側に配置されるスライドレール１１０の孔１１３に固定ピン１２３により固定される。このように構成されたスライド機構においては、スライドレール１１０が表示側部材３１０に対してスライドする際に、スライドアシスト用バネ１２０はその一端１２１と他端１２２の相対的位置が変化するために、その撓み状態が変化し、スライドレール１１０のストロークの中間点において、一端１２１と他端１２２とが最も接近する。このため、スライドレール１１０は、スライドレールアシスト用バネ１２０により、このストロークの中間点を境にして、ストロークの始端側又は終端側のいずれか一方に、付勢される。これにより、表示側筐体１０１は、そのストロークの中間点よりもストローク始端側にあるときは、アシストバネ１２０により始端側に戻ろうとし、ストロークの中間点よりもストローク終端側にあるときは、アシストバネ１２０により終端側に進出しようとする。  
【００２２】
次に、本実施形態の回転機構３００について説明する。図５（ａ）、（ｂ）はこの回転機構３００を裏側から見た平面図、図６（ａ）乃至（ｃ）はその動作を示す平面図、図７（ａ）は回転アシスト用圧縮コイルバネとカムとの関係を示す一部拡大図、（ｂ）は（ａ）のＢ−Ｂ線による断面図である。図２において、操作側部材３２０に対し、回転アシスト用圧縮コイルバネ３３０、カム３３１，ローラ３３２が組み付けられ、操作側部材３２０に対し、縦軸３３３及び横軸３３４を介して表示側部材３１０が連動動作するが、図５及び図６においては、特に、表示側部材の形状を単純化して、回転機構３００について説明する。即ち、図５及び図６においては、操作側部材は符号１０で現し、表示側部材は符号２０で現し、回転アシスト用圧縮コイルバネは符号３０で現す。  
【００２３】
図５に示すように、回転機構３００は、操作側本体２００に設けられた板状の操作側部材１０（操作側部材３２０）と、表示側本体１００に設けられた板状の表示側部材２０（表示側部材３１０）とを有する。操作側部材１０には、操作側筐体２０１の長手方向に延びる縦溝（第１のガイド溝）１２と、この縦溝１２とほぼ平行に延びる弾性部材用溝１３と、縦溝１２に向けて凸に湾曲する横溝（第２のガイド溝）１１とが形成されており、弾性部材用溝１３の上端部には、バネ係止用の突起１４が形成されている。一方、表示側部材２０には、横軸４０を固定するための孔２１と縦軸５０を固定するための孔２２とが形成されている。横軸４０及び縦軸５０をネジ棒、孔２１，２２を螺孔とすれば、横軸４０及び縦軸５０を孔２１，２２に螺合させることにより横軸４０及び縦軸５０を表示側部材２０に固定することができる。  
【００２４】
横軸４０は、頭部と軸部を有し、操作側部材１０の裏面側（携帯電話機の裏面側）から軸部を横溝１１内に挿入した後、この軸部を操作側部材１０の表面側に配置された表示側部材２０の孔２１に固定することにより、表示側部材２０に取り付けられる。なお、横軸４０の頭部は横溝１１を挿通しない大きさを有している。一方、縦軸５０は、同様に頭部と軸部とを有し、この軸部にローラ５１を嵌合し、更に軸部をカム５２に設けた孔５４内に挿通させた後、縦溝１２に挿入し、そして、軸部を表示側部材２０の孔２２に固定することにより、表示側部材２０に取り付けられる。カム５２は、縦溝１２の幅よりも大きな形状を有し、その中央に設けられた孔５４は、ほぼ矩形の形状を有し、この孔５４内にローラ５１が配置されて、ローラ５１の回転により、縦軸５０が縦溝１２の長手方向に移動することができる。  
【００２５】
そして、カム５２の横溝１１から遠い方の端部には、孔５４の周辺部の位置に突起５５が配置されている。また、縦軸５０の頭部には、２個の凹部５６ａ、５６ｂが形成されており、図６（ａ）に示すように、回転角度が０°の場合に、突起５５が凹部５６ａに嵌合し、図６（ｂ）に示すように、表示側部材２０が回転途中の場合には、突起５５は凹部５６ａから外れ、図６（ｃ）に示すように、回転角が９０°の場合には、突起５５が凹部５６ｂに嵌合する。この突起５５の凹部５６ａ、５６ｂへの嵌入及び離脱は、縦軸５０が孔５４内をローラ５１の回転により移動することによりなされる。  
【００２６】
カム５２には、その下端部から、弾性部材用溝１３の方に延出する延出部５３が形成されている。この延出部５３の先端には、バネ係止用の突起５７が形成されている。そして、図６に示すように、縦軸５０を表示側部材２０に組み付けた後は、カム５２のバネ係止用突起５７と、操作側部材１０のバネ係止用突起１４との間に、回転アシスト用の圧縮コイルバネ３０が係止される。この圧縮コイルバネ３０はカム５２を介して縦軸５０を横溝１１側に付勢する。このとき、図６（ａ）に示すように、表示側部材２０の回転角が０°の場合は、コイルバネ３０は最も伸張した状態にあり、表示側部材２０が回転するにつれてコイルバネ３０が短縮していき、その途中でコイルバネ３０が最も短くなり、更に表示側部材２０が回転すると、コイルバネ３０は、回転角が９０°になるまで伸張し続ける。  
【００２７】
圧縮コイルバネ３０は、図７（ａ）及び（ｂ）に示すように、バネ係止用突起１４，５７がコイルバネ３０内に挿入されることにより、係止されている。そして、このバネ係止用突起１４、５７が、弾性部材用溝１３の長手方向の両端部に配置されているので、コイルバネ３０は、この弾性部材用溝１３内に位置する。このため、コイルバネ３０を設けるために、コイルバネ３０の直径に相当する厚さ方向の空間を用意する必要はなく、コイルバネ３０における弾性部材用溝１３からはみ出る部分だけ、空間的な余裕を設ければよい。  
【００２８】
次に、上述の如く構成された本実施形態の携帯電話機の動作について説明する。図１乃至図３に示すように、表示側本体１００を上方に押すと、スライドレール１１０がスライドアシスト用バネ１２０の付勢力に抗して表示側部材３１０に対して上方にスライドし、そのストロークの中間点を過ぎると、スライドアシスト用バネ１２０の付勢力を受けて更に上方にスライドする。従って、表示側本体１００は、バネ１２０の付勢力により、図１（ａ）の閉状態及び図１（ｂ）の開状態を保持する。  
【００２９】
そして、図１（ｂ）に示す状態から、表示側本体１００を向かって時計方向に回転させると、これを裏側から見ている図６（ａ）乃至（ｃ）に示すように、表示側部材２０が回転アシスト用圧縮コイルバネ３０の付勢力に抗して、裏側から見て反時計方向に回転する。図６（ｂ）に示すように、この回転の途中でコイルバネ３０が最も短くなり、その後、更に回転すると、図６（ｃ）に示すように、コイルバネ３０が伸張していく。このとき、図６（ａ）に示すように、横軸４０が横溝１１の図示の左端に位置しているときは、表示側本体１００は、図１（ｂ）に示すように、通常の電話機としての操作に最適な縦長状態にあり、図６（ｃ）に示すように、横軸４０が横溝１１の図示の右端に位置しているときは、表示側本体１００は、図１（ｃ）に示すように、テレビの視聴又はウエブの閲覧に最適な横長状態にある。そして、圧縮コイルバネ３０の付勢力により、強制的に回転させない限り、表示側本体１００はこの縦長状態及び横長状態を保持する。  
【００３０】
本実施形態においては、この表示側本体１００と操作側本体２００に付勢力を与える弾性部材を弾性部材用溝１３内に配置するので、この弾性部材を設けるために携帯電話機の厚さが厚くなってしまうことを防止することができる。また、この弾性部材として、コイルバネを使用することにより、この回転機構の動作のために、バネが動く空間を極力小さくすることができ、携帯電話機の大型化を防止することができる。しかも、コイルバネ３０を縦軸５０が移動する縦溝１２の近傍にこれと平行に設けた溝１３内に配置するので、縦軸５０とコイルバネ３０を連結するために必要な空間も小さくてすむ。  
【００３１】
このように、本実施形態においては、縦長状態と横長状態とを切り替えることができる携帯電話機において、その小型及び薄型化が可能になる。  
【００３２】
また、表示側
本体１００の回転に伴い、その一方の回転角度（０°）のときに、縦軸５０に設けた凹部５６ａが、カム５２に設けた突起５５に嵌合し、他方の回転角度（９０°）のときに、縦軸５０に設けた凹部５６ｂが、カム５２に設けた突起５５に嵌合するので、この回転角が０°の縦長状態から離脱するとき及び回転角９０°の横長状態から離脱するときに、操作者にはクリック感が与えられる。よって、縦長状態及び横長状態の操作をする上で、操作者は安心して操作することができる。  
【００３３】
次に、本発明の第２の実施形態について説明する。図８（ａ）乃至（ｃ）はこの携帯電話機の動きを示す斜視図、図９はこの動きを可能にするための回転機構を示す分解斜視図である。図１０（ａ）は操作側本体に操作側部材を取り付けた状態、図１０（ｂ）は表示側本体に表示側部材を固定した状態を示す斜視図である。図１１（ａ）は本実施形態の携帯電話機を折り畳んだ状態を示す斜視図、図１１（ｂ）は図１１（ａ）のＣ−Ｃ線による断面図である。  
【００３４】
本実施形態は、表示側本体１００が操作側本体２００に対して開閉するクラムシェルタイプの携帯電話機である。即ち、操作側本体２００は、操作側筐体２０２と、この操作側筐体２０２の幅方向に平行の回転軸（回転軸筒２０３、回転軸２１２）を介して操作側筐体２０２に対して回転可能に連結された回転支持部材２１０とから構成されている。一方、表示側本体１００は、この回転支持部材２１０に連結された表示側筐体１００から構成されている。操作側筐体２０２には、その長手方向の上端部にその幅方向に延びる筒状の回転軸筒２０３が設けられており、回転支持部材２１０にも回転軸筒２０３の長さだけ離隔した１対の半割り回転軸カバー２１１が設けられている。そして、この回転軸筒２０３と固定部材３６０の回転軸筒３６１とを同軸的に配置し、回転軸２１２をこれらの回転軸筒２０３、回転軸筒３６１内に挿入することにより、回転支持部材２１０は表示側筐体１００と共に操作側筐体２０２に対して、その幅方向を回転中心として回転することができる。そして、その状態で回転支持部材２１０は回転軸カバー２１１を回転軸筒３６１に合わせ、固定部材３６０に係止される。  
【００３５】
本実施形態の回転機構３００は、固定部材３６０と、操作側部材３５０と、表示側筐体１０２に固定された表示側部材３４０とから構成される。操作側部材３５０は、回転支持部材２１０と固定部材３６０との間に位置して、固定部材３６０に固定される。即ち、図９及び図１０（ａ）に示すように、固定部材３６０には半割り回転軸筒３６１が設けられており、回転支持部材２１０の内面に操作側部材３５０を重ね、その上に、固定部材３６０の半割り回転軸筒３６１を回転支持部材２１０の半割り回転軸筒カバー２１１に整合させて両者で筒体を構成するようにして、固定部材３６０を重ね、更に、ネジ３６２により、固定部材３６０に操作側部材３５０を固定する。  
【００３６】
表示側部材３４０は、図１０（ｂ）に示すように、表示側筐体１０２の外面（回転支持部材２１０側の面）にネジ３４１により固定される。そして、操作側部材３５０の縦溝３５１に縦軸３７０を挿入し、横溝３５２に横軸３７３を挿入し、弾性部材用溝３５３に圧縮コイルバネ３８０を挿入する。また、縦軸３７０の軸部にはローラ３７１を嵌合し、カム３７２の孔に縦軸３７０の軸部を挿通させ、表示側部材３４０に前記軸部を固定する。一方、横軸３７３はその軸部を横溝３５２に挿入し、前記軸部を表示側部材３４０に固定する。  
【００３７】
この表示側部材３４０及び操作側部材３５０の動作は、図５乃至図７で示したものと同一である。本実施形態は、操作側本体２００が操作側筐体２０２と回転支持部材２１０から構成されており、回転機構３００の操作側部材３５０が操作側筐体２０２ではなく、回転支持部材２１０に固定されている。また、表示側部材３４０は表示側筐体１０２に直接固定されている。一方、第１実施形態においては、表示側本体１００が表示側筐体１０１と、スライドレール１１０とから構成され、操作側本体２００が操作側筐体２０１から構成され、表示側部材３１０はスライドレール１１０に取付けられ、操作側部材３２０は操作側筐体２０１に直接固定されている点で、両実施形態は異なる。しかし、第２実施形態において、図８（ｂ）に示すように、表示側本体１００が開いた後は、この表示側本体１００は、第１実施形態と同様にして、表示面に向かって時計方向に回転することができる。従って、この第２実施形態も第１実施形態と同様の作用効果を奏する。  
【００３８】
なお、本発明は上述の実施形態に限定されないことは勿論である。第１のガイド溝（縦溝）及び第２のガイド溝（横溝）と弾性部材用溝は、操作側本体に取付けられる操作側部材ではなく、表示側本体に取り付けられる表示側部材に設けても良い。この場合は、第１及び第２のピンは、操作側部材に固定される。  
【００３９】
また、縦溝は必ずしも操作側本体の長手方向に平行でなくてもよく、本発明の動作が可能ならば、操作側本体の長手方向から外れていてもよい。  
【００４０】
また、クラムシェルタイプの場合、横溝も、必ずしも図示例のような湾曲形状でなくてもよく、横溝との関連で、表示側本体を回転させるときに、その隅部が操作側本体に干渉せずに円滑に回転できるように、表示側本体を操作側本体から離隔する方向に一端逃げて、その後、表示側本体の全体を操作側本体側に極力近づける動作が可能なように、縦溝及び横溝の形状を定めればよい。  
【００４１】
更に、弾性部材としては、上記実施形態のように、圧縮コイルバネに限らず、引張コイルバネを使用してもよく、又は、バネではなく、ダンパー等も使用することができる。  
【００４２】
更にまた、第１の筐体と第２の筐体との両方が表示装置であってもよく、また両方が入力装置（操作装置）であってもよい。
【産業上の利用可能性】
【００４３】
本発明は、携帯電話機の他、ＰＤＡ及び小型ノートパソコンのような携帯電子機器一般に適用することができる。
【図面の簡単な説明】
【００４４】
【図１】図１（ａ）乃至（ｃ）はこのスライドタイプの携帯電話機の動きを示す斜視図である。
【図２】図２はこのような動きを可能にするための回転機構を、スライド機構と共に示す分解斜視図である。
【図３】図３（ａ）は表示側筐体１０１の裏面にスライドレール１１０を固定した状態を示す表示側筐体１０１の裏側の斜視図、図３（ｂ）は操作側筐体２０１に操作側部材３２０を固定した状態を示す操作側筐体２０１の表側の斜視図である。
【図４】図４（ｂ）は図４（ａ）のＡ−Ａ線による断面図であり、表示側部材３１０と操作側部材３２０との係わり合いを示す断面図である。
【図５】図５（ａ）、（ｂ）はこの回転機構３００を裏側から見た平面図である。
【図６】図６（ａ）乃至（ｃ）はその動作を示す平面図である。
【図７】図７（ａ）は回転アシスト用圧縮コイルバネとカムとの関係を示す一部拡大図、（ｂ）は（ａ）のＢ−Ｂ線による断面図である。
【図８】図８（ａ）乃至（ｃ）はこの携帯電話機の動きを示す斜視図である。
【図９】図９はこの動きを可能にするための回転機構を示す分解斜視図である。
【図１０】図１０（ａ）は操作側本体に操作側部材を取り付けた状態、図１０（ｂ）は表示側本体に表示側部材を固定した状態を示す斜視図である。
【図１１】図１１（ａ）は本実施形態の携帯電話機を折り畳んだ状態を示す斜視図、図１１（ｂ）は図１１（ａ）のＣ−Ｃ線による断面図である。
【符号の説明】
【００４５】
１０    操作側部材  １１    横溝  １２    縦溝  １３    弾性部材用溝  １４    突起  ２０    表示側部材  ２１，２２    孔  ３０    圧縮コイルバネ  ４０    横軸  ５０    縦軸  ５１    ローラ  ５２    カム  ５３    延出部  ５４    孔  ５５    突起  ５６ａ、５６ｂ    凹部  ５７    突起 
【図１】
0004899190.tif 000002
【図２】
0004899190.tif 000003
【図３】
0004899190.tif 000004
【図４】
0004899190.tif 000005
【図５】
0004899190.tif 000006
【図６】
0004899190.tif 000007
【図７】
0004899190.tif 000008
【図８】
0004899190.tif 000009
【図９】
0004899190.tif 000010
【図１０】
0004899190.tif 000011
【図１１】
0004899190.tif 000012